(57)【要約】【課題】  広角タイプの照明用防水直管形ＬＥＤ灯具を提供する。【解決手段】広角タイプの照明用防水直管形ＬＥＤ灯具構造１は、両端にそれぞれ開口１１があり、底収容部１２と笠部１３とを含み、底収容部１２及び笠部１３が互いに連通している本体部１０と、底収容部１２内に設置される電源モジュール２０と、開口１１にそれぞれ固定され、延伸している内側壁面に少なくとも一つの防水プラグ３１、４１が設置される第１防水灯ジョイント３０及び第２防水灯ジョイント４０と、笠部１３内に対応し固定され、電源モジュール２０に電気的に連接しているＬＥＤモジュール５０と、を含むことを特徴とする。【選択図】  図１
2018098171.tif 000002
【特許請求の範囲】
【請求項１】
長尺状の中空シェル状の管部材であり、両端にそれぞれ開口があり、断面が矩形を呈する底収容部と、透明な笠体である笠部とを含み、前記底収容部及び前記笠部が互いに連通している本体部と、
前記本体部の前記底収容部内に対応し固定される電源モジュールと、
前記本体部の前記一つの開口に対応し固定され、断面の形状が前記一つの開口に対応し、延伸している内側壁面に少なくとも一つの防水プラグが設置される第１防水灯ジョイントと、
前記本体部の前記もう一つの開口に対応し固定され、断面の形状が前記もう一つの開口に対応し、延伸している内側壁面に少なくとも一つの防水プラグが設置される第２防水灯ジョイントと、
前記笠部内に対応し固定され、前記電源モジュールに電気的に接続しているＬＥＤモジュールと、を含むことを特徴とするＬＥＤ灯具。
【請求項２】
前記本体部の前記開口の近くの側壁面に第１締め付け構造が設置され、
前記第１防水灯ジョイントの一側、及び、前記第２防水灯ジョイントの一側に、それぞれ第２締め付け構造が設置され、
前記第２締め付け構造は、前記第１締め付け構造と接触し、直接的に対応し締め付け合っていることを特徴とする請求項１に記載のＬＥＤ灯具。
【請求項３】
前記第１締め付け構造は、少なくとも一つの孔又は凹部であり、
前記第２締め付け構造は、少なくとも一つの凸部であることを特徴とする請求項２に記載のＬＥＤ灯具。
【請求項４】
前記笠部の断面の両端のなす角度は、２４０度より大きい又は２４０度に等しいことを特徴とする請求項１に記載のＬＥＤ灯具。
【請求項５】
前記第２防水灯ジョイントには、前記防水プラグを貫通し前記本体部の内部に連通している複数の貫通孔が設置されることを特徴とする請求項１に記載のＬＥＤ灯具。
【発明の詳細な説明】
【技術分野】
【０００１】
本発明は、ＬＥＤ灯具に関する。
【背景技術】
【０００２】
従来、照明用白光を提供する蛍光灯を光源とする灯具は、室内照明で広く使用されているものであり、構成が簡単で、コストが低いなどの利点があるので、伝統的な照明技術では最も主要な照明用灯具である。
【０００３】
しかしながら、蛍光灯は、体積が大きく、製造、使用又は廃棄される際に、大量の水銀が放出され、環境汚染を招いてしまう危険性がある。なお、蛍光灯は、寿命が１０００時間ほどでとても短いのみならず、フィラメントの発熱に使われた電気エネルギーのうち、わずか１０％だけが可視光線に変わり、残り９０％の電気エネルギーが、無用な熱などに変わり空気へ散逸し、電気エネルギーの消耗となってしまう。それらの欠点があるので、自然環境に負担をかけることがあるのは言うまでもない。
【０００４】
近年、発光ダイオード（ＬＥＤ）照明技術が発展しているが、例えば、伝言、通信、消費性電子製品の指示器及び表示設備など、広く日常生活で使用されている。特に白光ＬＥＤは、光源又は照明製品として使用されることで、新しい時代を開き、ＬＥＤにおいて最大の発展可能性がある市場と言える。ゆえに、消費者が気に入る製品をたくさん開発することができる。
【０００５】
ＬＥＤは、環境にやさしく、省エネルギー、高効率、長い使用寿命、小型、及び速い反応などの利点を有している。伝統的な蛍光灯の欠点を避け、環境にやさしく、ＣＯ2排出削減と省エネルギー効果の要求に応じるために、伝統的な蛍光灯に代わり、照明技術の領域の当業者が遂にＬＥＤ灯具を開発し、どんどん各種の照明技術の領域に進出している。ＬＥＤ照明技術は、２１世紀の光源として、伝統的な光源に代わり、主要な照明光源として使用されることが認められる。
【０００６】
従来の技術では、Ｔ５型などの直管形発光ダイオード灯具は、実際に使用される際に、防水に関する構成が欠けているので、防水が必要な作業環境では、灯具が速やかに壊れる可能性がある。
【０００７】
また、Ｔ５型などの直管形発光ダイオード灯具は、実際に使用される際、外部の笠が半円形の殻体で、出光面が小さくなる。その内部の発光ダイオードが発光する際、光が集中し過ぎ、光が均一に出ないという欠点がある。
【０００８】
よって、発明者にとって、従来技術の欠点を改善し、産業上の利用性を増やすために、広角タイプの照明用防水直管形ＬＥＤ灯具を開発する必要がある。
【発明の概要】
【発明が解決しようとする課題】
【０００９】
本発明は上記の問題点に鑑みてなされたものであり、その目的は、従来技術の欠点を改善するＬＥＤ灯具を提供するものである。
本発明は、広角タイプの照明用防水直管形発光ダイオード（ＬＥＤ）灯具構造に関し、特に防水性に優れた、広角タイプの照明用光源を提供するＬＥＤ灯具構造に関する。
【課題を解決するための手段】
【００１０】
本発明の一態様によれば、ＬＥＤ灯具は、長尺状の中空シェル状の管部材であり、両端にそれぞれ開口があり、断面が矩形を呈する底収容部と、透明な笠体である笠部とを含み、前記底収容部及び前記笠部が互いに連通している本体部と、前記本体部の前記底収容部内に対応し固定される電源モジュールと、前記本体部の前記一つの開口に対応し固定され、断面の形状が前記一つの開口に対応し、延伸している内側壁面に少なくとも一つの防水プラグが設置される第１防水灯ジョイントと、前記本体部の前記もう一つの開口に対応し固定され、断面の形状が前記もう一つの開口に対応し、延伸している内側壁面に少なくとも一つの防水プラグが設置される第２防水灯ジョイントと、前記笠部内に対応し固定され、前記電源モジュールに電気的に接続しているＬＥＤモジュールと、を含むことを特徴とする。
【００１１】
好ましくは、前記本体部の前記開口の近くの側壁面に第１締め付け構造が設置され、前記第１防水灯ジョイントの一側、及び、前記第２防水灯ジョイントの一側に、それぞれ第２締め付け構造が設置され、前記第２締め付け構造は、前記第１締め付け構造と接触し、直接的に対応し締め付け合っている。
【００１２】
好ましくは、前記第１締め付け構造は、少なくとも一つの孔又は凹部であり、前記第２締め付け構造は、少なくとも一つの凸部である。
【００１３】
好ましくは、前記笠部の断面の両端のなす角度は、２４０度より大きい又は２４０度に等しい。
【００１４】
好ましくは、前記第２防水灯ジョイントには、前記防水プラグを貫通し前記本体部の内部に連通している複数の貫通孔が設置される。
【発明の効果】
【００１５】
本発明の広角タイプの照明用防水直管形ＬＥＤ灯具構造は、防水性に優れ、防水が必要な作業環境に適用できる。なお、笠部の断面が少なくとも２４０度の広角タイプ出光面を有する特性によれば、光が均一に出ているような優れた効果を奏することができ、従来の技術が達することのできないレベルにあるものである。
【図面の簡単な説明】
【００１６】
【図１】本発明のＬＥＤ灯具を示す分解立体図である。
【図２】本発明のＬＥＤ灯具の外観を示す図である。
【発明を実施するための形態】
【００１７】
以下、本発明に係る実施形態について、図面を参照しながら具体的に説明する。
【００１８】
図１は、本発明のＬＥＤ灯具を示す分解立体図である。図２は、本発明のＬＥＤ灯具の外観を示す図である。図１と図２に示したように、本発明は、広角タイプの照明用防水直管形ＬＥＤ灯具構造１を提供する。広角タイプの照明用防水直管形ＬＥＤ灯具構造１は、好ましい実施例の一つとして、本体部１０と、電源モジュール２０と、第１防水灯ジョイント３０と、第２防水灯ジョイント４０と、ＬＥＤモジュール５０とを含む。
【００１９】
本体部１０は、長尺状の中空シェル状の管部材であり、両端にそれぞれ開口１１がある。本体部１０は、断面が矩形を呈する底収容部１２と、透明な笠体である笠部１３とを含む。底収容部１２及び笠部１３は互いに連通している。笠部１３は、断面の両端のなす角度が２４０度より大きい又は２４０度に等しい弧状の透明な笠体である。開口１１の近くの側壁面にさらに第１締め付け構造が設置される。第１締め付け構造は、少なくとも一つの孔又は凹部である。
【００２０】
電源モジュール２０は、本体部１０の底収容部１２内に対応し固定され、配線を通じて、照明用光源を提供することができる。
【００２１】
第１防水灯ジョイント３０は、本体部１０の一つの開口１１に対応し固定され、断面の形状が開口１１に対応している。第１防水灯ジョイント３０の一側には、第２締め付け構造が設置される（図示せず）。第２締め付け構造は、前記第１締め付け構造と接触し、直接的に対応し締め付け合っている。第２締め付け構造は、少なくとも一つの凸部でもよく、第１防水灯ジョイント３０が開口１１に対応し通り抜ける際に、第１締め付け構造と第２締め付け構造との接触により固定の力を発生させることで、第１防水灯ジョイント３０を開口１１に固定させる。第１防水灯ジョイント３０は、延伸している内側壁面に少なくとも一つの防水プラグ３１が設置され、防水プラグ３１が開口１１を封止することにより、有効に防水の機能を発揮する。
【００２２】
第２防水灯ジョイント４０は、本体部１０のもう一つの開口１１に対応し固定され、断面の形状が開口１１に対応している。第２防水灯ジョイント４０の一側には、第２締め付け構造が設置される（図示せず）。第２締め付け構造は、前記第１締め付け構造と接触し、直接的に対応し締め付け合っている。第２締め付け構造は、少なくとも一つの凸部でもよく、第２防水灯ジョイント４０が開口１１に対応し通り抜ける際に、第１締め付け構造と第２締め付け構造との接触により固定の力を発生させることで、第２防水灯ジョイント４０を開口１１に固定させる。
【００２３】
第２防水灯ジョイント４０は、延伸している内側壁面に少なくとも一つの防水プラグ４１が設置され、防水プラグ４１が開口１１を封止することにより、有効に防水の機能を発揮する。なお、第２防水灯ジョイント４０には、配線を配置可能なように、防水プラグ４１を貫通し本体部１０の内部に連通している複数の貫通孔４２を設置してもよい。
【００２４】
ＬＥＤモジュール５０は、笠部１３内に対応し固定され、電源モジュール２０に電気的に連接している。
【００２５】
本発明の広角タイプの照明用防水直管形ＬＥＤ灯具構造によれば、防水性に優れ、防水が必要な作業環境に適用できる。なお、笠部の断面が少なくとも２４０度の広角タイプ出光面を有する特性によれば、光が均一に出ているような優れた効果を奏することができ、従来の技術が達することのできないレベルにあるものである。
【符号の説明】
【００２６】
１                        広角タイプの照明用防水直管形ＬＥＤ灯具構造（ＬＥＤ灯具）
１０                      本体部
１１                      開口
１２                      底収容部
１３                      笠部
２０                      電源モジュール
３０                      第１防水灯ジョイント
３１                      防水プラグ
４０                      第２防水灯ジョイント
４１                      防水プラグ
４２                      貫通孔
５０                      ＬＥＤモジュール
【図１】
2018098171.tif 000003
【図２】
2018098171.tif 000004